(57)【要約】      （修正有）【課題】連結ピンをバンド駒内で保持する「Ｃリング」がバンド駒から抜け落ちることなく、簡易且つ安全に使用することのできるアジャスト用バンド駒を提供する。【解決手段】外駒２０と中駒３０をＹ字型に組合せ、取り付け・取り外し自在にバンドを構成するアジャスト用バンド駒１０であって、左右一対の外駒２０に挟まれる中駒３０は、中駒本体４０とその左右両側面４１に設けられる側面部材５０とからなり、隣り合うバンド駒１０と連結ピンで連結するために外駒２０から突出する中駒部分に連結ピン用のピン孔が形成され、その中駒本体４０に形成されたピン孔４２に連結ピンをピン孔内で保持するＣリング６０を備えた。【選択図】図１
0003149703.tif 000002
【実用新案登録請求の範囲】
【請求項１】
外駒と中駒をＹ字型に組合せ、取り付け・取り外し自在にバンドを構成するアジャスト用バンド駒であって、
左右一対の外駒に挟まれる中駒は、中駒本体とその左右両側面に設けられる側面部材とからなり、隣り合うバンド駒と連結ピンで連結するために外駒から突出する中駒部分に連結ピン用のピン孔が形成され、その中駒本体に形成されたピン孔に連結ピンをピン孔内で保持する保持部材を備えたことを特徴とするアジャスト用バンド駒。
【請求項２】
側面部材に形成されるピン孔は、中駒本体に保持部材を備えるために形成されるピン孔部分よりも小径であることを特徴である請求項１記載のアジャスト用バンド駒。
【請求項３】
保持部材がＣリングであることを特徴とする請求項１又は２記載のアジャスト用バンド駒。
【請求項４】
請求項１から３のいずれかに記載のアジャスト用バンド駒を備えたことを特徴とする時計バンド。
【請求項５】
請求項４記載の時計バンドを備えたことを特徴とする腕時計。
【考案の詳細な説明】
【技術分野】
【０００１】
本願考案は、取り付け・取り外し自在にバンドを構成するアジャスト用バンド駒に関するものである。
【背景技術】
【０００２】
従来から、バンド駒とバンド駒を連結させるための連結ピンをバンド駒内で保持させる保持部材として、断面Ｃ形状の「Ｃリング」が用いられてきた。例えば、図３に示す特許文献１の符号７などである。
【先行技術文献】
【特許文献】
【０００３】
【特許文献１】実用新案登録第３０４２６４７号公報
【考案の概要】
【考案が解決しようとする課題】
【０００４】
しかし、この「Ｃリング」は、バンドの長さ調整（アジャスト）のためバンド駒を取り外す場合などにバンド駒から外れて取れてしまう危険性があった。このため、Ｃリングのセッティングが非常に面倒であったり、Ｃリングを紛失してしまうこともあった。
そこで、本願考案者は、上記課題を解決して、Ｃリングがバンド駒から抜け落ちることなく、簡易且つ安全に使用することのできるアジャスト用バンド駒を提供すべく、本願考案を完成するに至った。
【課題を解決するための手段】
【０００５】
上記目的を達成するために、第１の考案は、外駒と中駒をＹ字型に組合せ、取り付け・取り外し自在にバンドを構成するアジャスト用バンド駒であって、左右一対の外駒に挟まれる中駒は、中駒本体とその左右両側面に設けられる側面部材とからなり、隣り合うバンド駒と連結ピンで連結するために外駒から突出する中駒部分に連結ピン用のピン孔が形成され、その中駒本体に形成されたピン孔に連結ピンをピン孔内で保持する保持部材を備えたことを特徴とするものである。
第２の考案は、側面部材に形成されるピン孔は、中駒本体に保持部材を備えるために形成されるピン孔部分よりも小径であることを特徴である同アジャスト用バンド駒である。
第３の考案は、保持部材がＣリングであることを特徴とする同アジャスト用バンド駒である。
第４の考案は、上記第１〜第３の考案に係るアジャスト用バンド駒を備えたことを特徴とする時計バンドである。
第５の考案は、上記第４の時計バンドを備えたことを特徴とする腕時計である。
【考案の効果】
【０００６】
本願考案によれば、以下のような効果を有する。
（１）中駒が中駒本体と側面部材とからなることで、側面部材が蓋材となり、中駒本体に保持部材（Ｃリング）を容易にセットすることができる一方で、中駒本体にセットした保持部材（Ｃリング等）がバンド駒から脱落することを防止できる。
（２）特に、側面部材に形成されるピン孔が、中駒本体に保持部材を備えるために形成されるピン孔部分よりも小径であることで、確実に中駒本体にセットした保持部材（Ｃリング等）がバンド駒から脱落することを防止できる。
（３）このため、バンドの長さ調整（アジャスト）の際に、バンド駒を取り外しても保持部材（Ｃリング等）は取れず、連結ピンの抜き差しのみで容易にアジャストができるようになっている。
（４）また、新規に部品を起こす必要がなく、既存部品で出来てしまうので、コスト的に有効である。
【図面の簡単な説明】
【０００７】
【図１】本願考案に係るアジャスト用バンド駒の構造を示す分解図。
【図２】本願考案に係るアジャスト用バンド駒の使用状態を示す説明図。
【図３】従来技術（特許文献１）を説明する説明図。
【考案を実施するための形態】
【０００８】
本願考案に係る実施形態を図面に基づいて説明する。
図１は、本願考案に係るアジャスト用バンド駒の構造を示す分解図である。
図１に示すように、本願考案に係るアジャスト用バンド駒１０は、左右一対の外駒２０と、外駒２に挟まれる中駒３０とをＹ字型に組合せてなるものである。そして、中駒３０は、中駒本体４０とその左右両側面４１，４１に設けられる側面部材５０，５０とから構成される。
【０００９】
中駒３０は、隣り合うバンド駒１０と連結ピン７０で連結するために外駒３０から突出する部分に連結ピン７０用のピン孔３１が形成される。そのピン孔３１のうち、中駒本体４０に形成されたピン孔４２に連結ピン７０をピン孔３１内で保持する保持部材としてのＣリング６０を備える。この場合、Ｃリング６０をピン孔４２で確実に固定するために、Ｃリング６０を固定する部分の径とそれ以外の部分の径を異ならせるとよい（固定部分の径＞それ以外の部分の径）。
【００１０】
そして、Ｃリング６０の挿入された中駒本体４０の左右両側面４１，４１に側面部材５０，５０を取り付けることで、側面部材５０，５０が蓋材となり、中駒本体４０からＣリング６０の脱落を防止する。特に、側面部材５０に形成されるピン孔５１が中駒本体４０のピン孔４２よりも小径なので、構造上Ｃリング６０が側面部材５０のピン孔５１を挿通することが不可能で、Ｃリング６０の脱落を確実に防止できる。
【００１１】
なお、外駒２０の符号２１，２１は、隣り合うバンド駒１０と連結するために連結ピン７０を通すピン孔である。また、外駒２０の符号２２と中駒３０の符号３２は、外駒２０と内駒３０とを組合せてＹ字型のアジャスト用バンド駒１０を構成（一体化）するために打込む打込ピン用のピン孔である。
【００１２】
図２は、本願考案に係るアジャスト用バンド駒の使用状態を示す説明図である。
図２に示すように、アジャスト用バンド駒１０は、隣り合うアジャスト用バンド駒１０と凹凸部分を組合せ、それによって形成されるピン孔２１，３１，２１に連結ピン７０を挿通してバンド８０を構成する。そして、連結ピン７０はＣリング６０によってピン孔２１，３１，２１内で保持されるとともに、アジャスト用バンド駒１０を取り付け・取り外しには、連結ピン７０の抜き差しのみで簡単に行える。すなわち、Ｃリング６０は既にアジャスト用バンド駒１０に内蔵されているため、アジャスト用バンド駒１０のアジャスト作業（取り付け・取り外し作業）に、Ｃリング６０のセットが不要となる。その結果、作業効率が著しく向上する。
【産業上の利用可能性】
【００１３】
本願考案は、取り付け・取り外し自在にバンドを構成するアジャスト用バンド駒に広く利用できるものである。特に、長さ調整が必要とされる時計バンドや装身具バンドなどのアジャスト用バンド駒として広く利用できるものである。
【符号の説明】
【００１４】
１０  アジャスト用バンド駒
２０  外駒
２１  ピン孔（連結ピン用）
２２  ピン孔（打込ピン用）
３０  中駒
３１  ピン孔（連結ピン用）
３２  ピン孔（打込ピン用）
４０  中駒本体
４１  左右側面
４２  ピン孔（連結ピン用）
５０  側面部材
５１  ピン孔（連結ピン用）
６０  Ｃリング
７０  連結ピン
８０  バンド
【図１】
0003149703.tif 000003
【図２】
0003149703.tif 000004
【図３】
0003149703.tif 000005